(57)【要約】【課題】小型船舶を有さず免許のみを所持するペーパードライバーを含め、所望の場所で所望のボートを所望の時期に容易にレンタルできる陸上げボートレンタルシステムを提供する。【解決手段】本部及びレンタル店の会員たる顧客が乗用する車両に搭載又は牽引できる陸上げボートを、本部会員たるレンタル店でレンタルするようにする。本部管理のシステムサーバでは、レンタル可能のレンタル店を最も利用し易い形で紹介し、各顧客が自由に予約利用できるようにシステム化する。【選択図】      図１
2004152137.tif 000002
【特許請求の範囲】
【請求項１】
会員たる顧客のパソコンと、システムサーバと、該サーバと連絡された本部及び多数のレンタル店とを有して成り、
前記レンタル店は、前記顧客が乗用する車両に搭載又は牽引して、目的地としての水辺へ持参できるボートをレンタル可能に所持し、
前記システムサーバは、前記水辺で、前記顧客が持参したボートを水上へ出すことができる位置を印した地図データと、各レンタル店で貸出し可能のボート種目を示す種目データと、予約可能状況を示すデータとを有し、
前記顧客がパソコン上で自己の出発地、目的地、レンタル種目を指定することにより、前記サーバは、指定種目のボートを所持するレンタル店の内、前記出発地から見て最も借入れ易いレンタル店を近隣検索すると共に、当該パソコン上で当該レンタル店に対して即時予約可能としたことを特徴とする陸上げボートレンタルシステム。
【請求項２】
前記ボートには、トレーラ上に搭載された長さ５ｍ以下の小型船舶が含まれ、前記顧客は、自己の車両でレンタルボートを牽引し、予約の日時に借入れ又は返却することを特徴とする陸上げボートレンタルシステム。
【請求項３】
前記レンタル店は、２４時間営業のガソリンスタンドで併営され、小型船舶使用のインストラクタが配属されることを特徴とする陸上げボートレンタルシステム。
【請求項４】
前記近隣検索は、出発地から目的地までの適正経路及び距離を割出し、当該経路上、出発地から該当レンタル店へ寄り道することとなるまでの距離Ｌ１、寄り道の距離Ｌ２、残り距離Ｌ３を算出し、前記搭載又は牽引による車両負荷の増大乗率をα（０．１〜０．５）とし、より道増加の負荷増大率をβ（１．５〜２．０）として、負荷の増大量の少ないものから順に所定数のレンタル店候補を算出表示することを特徴とする陸上げボートレンタルシステム。
【発明の詳細な説明】
【０００１】
【発明の属する技術分野】
本発明は、陸上げボート、即ち自動車に搭載又は自動車で牽引して海や河川又は湖等の水辺に持参し水上に浮かべて使用できるボートを活用し、これを水上レジャーを行う者に対し容易、適切にレンタルできるようにした陸上げボートレンタルシステムに関する。
【０００２】
【従来の技術】
現在、国民の４人に１人（３０００万人）はレジャーとしてフィッシングを楽しんでいるとされているが、小型船舶登録船籍数は４８万隻であり、自己の小型船舶を用いて沖釣りしたり、海上で遊べる人数は極めて少数の者に限られていると言える。一方で、小型船舶操縦士免許を取得している者は、３００万人に達し、約２５０万人のペーパードライバーが存在し、彼等が小型船舶の利用を希望しているといえる。
【０００３】
ところが、小型船舶を購入する場合、船舶利用のときは安全な停泊地を定めなければならず、その場所が潜在的に不足し、所持したくとも所持不可能な状態である。購入した小型船舶を海辺のマリーナに預けることも考えられるが、年に数度しか利用しないのに月極めの駐船料をも必要とし、到底庶民には手が出せない状況である。
【０００４】
そこで、従来、停泊地を必要としない方法として、５ｍ未満の小型船舶に対しては、ボートをトレーラに乗せ、自己の車両で自宅の庭等に陸上げすることも行われている。このトレーラに関する技術としては、特開２００１−２７７９３３号公報（クレーン機構付きボートトレーラー）の例がある。これによれば、トレーラの片側に設けた踏板を牽引車両のタイヤで踏み、クレーンで他方の側にボートを降すことができる。踏板を設けていないトレーラでは、海辺に設けたスロープに対して後退し、ボートを水に付けた状態でボートを海に降ろせば良い。
【０００５】
以上の如く、従来小型船舶を利用したい者は、基本的には自家用のものを購入し、停泊させるか、トレーラを用いて運ぶか、或いはマリーナに預けるかしかなかった。一部、海辺でレンタルされているものも有るが、希望の場所に、希望のものが存在せず、ほとんど利用するのが難しい。
【０００６】
一方で、今日のストレス社会の蔓延下において、ボートで海に出て遊びたいという思いの人口は益々増加する傾向にある。この人口は、前述のペーパードライバーのみでも２５０万人であり、木製ボートやゴムボート等、免許を必要としないものを希望する者を含めると、その数は相当多大である。
【０００７】
しかしながら、ボートを所持せず、ボートで遊びたい人員は、現在レンタルしたくとも、遊びたい場所でレンタルされていない。全国各地の水辺において、必要場所に必要ボートをレンタルすべく配置することは困難なのである。
【０００８】
また、例えば、現在小型船舶を所持している者が、例えば沖釣りを停泊地から遠く離れた場所で行いたい場合、そのときに限ってはレンタル希望するが、現状、そのレンタル需要に対して答えることができないのである。
【０００９】
以上の如く、従来は、ボートの潜在的需要は相当高いにも拘らず、所要の場所に所要のボートを配置できず、この需要に見合ったレンタル店を運営することができなかった。
【００１０】
【特許文献】
特開２００１−２７７９３３号公報、第１頁、図１
【００１１】
【発明が解決しようとする課題】
そこで、本発明は、上記従来技術に鑑みて、所望の人が、自己の車両を用いて所望の場所で、所望のボートを、所望の時期に容易にレンタルできる陸上げボートレンタルシステムを提供することを目的とする。
【００１２】
【課題を解決するための手段】
上記課題を解決することのできる本発明の陸上げボートレンタルシステムは、その概要を図１に示す通り、会員たる顧客１のパソコン２と、システムサーバ３と、該サーバ３と連絡された本部４及び多数のレンタル店ＲＥ−ｉ（ｉ＝１、２、３・・・）とを有して成り、
前記レンタル店ＲＥ−ｉは、前記顧客１が乗用する車両５に搭載又は牽引して、目的地としての水辺６へ持参できるボート７−ｉ（ｉ＝１、２、３・・・）をレンタル可能に所持し、
前記システムサーバ３は、前記水辺６で、前記顧客１が持参したボート７−ｉを水上へ出すことができる位置Ｐ−ｉを印した地図データ８と、各レンタル店ＲＥ−ｉで貸出し可能のボート種目７−ｉを示す種目データ９と、各レンタル店ＲＥ−ｉのレンタル内容を示すレンタル店データ１０と、該データ１０に対応させて予約状況を更新可能な形で示す予約データ１１とを有し、
前記顧客１がパソコン２上で自己の出発地ＰＳ、目的地Ｐ−ｉ、レンタル種目７−ｉを指定することにより、前記サーバ３は、指定種目のボート７−ｉを所持するレンタル店ＲＥ−ｉの内、前記出発地ＰＳから見て最も借入れ易いレンタル店ＲＥ−ｉを近隣検索すると共に、当該パソコン２上で当該レンタル店ＲＥ−ｉに対して即時予約可能としたことを特徴とする。
【００１３】
水辺６は、例えば海１２や、河川１３Ａ又は湖１３Ｂ、等である。海１２の水辺には、目的地として設定される位置Ｐ−ｉが印される。この位置としては、ボートを水上に出すことができる位置として、砂浜、トレーラ用のスロープ、荷上げ場、岸壁、桟橋、ハーバ、マリーナ等が挙げられる。
【００１４】
レンタル店ＲＥ−ｉは、予め本部４と契約し、本部会員として登録する。レンタル店ＲＥ−ｉは、例えば、人口１０万人の市街に１軒の割合いで定められる。また、例えば、２４時間営業のガソリンスタンドで併営させる等、沖釣り等において早朝貸出しに便宜を図ること等も検討されて設定される。各レンタル店ＲＥ−ｉに配置するボート種目７−ｉは各レンタル店で任意に定めることができるが、レンタル店ＲＥ−ｉが募集する会員たる顧客１の便宜上、ボート種としては、ゴムボート、３〜５ｍの小型船舶等、複数種のボート７−ｉを揃えておくのが好ましい。
【００１５】
前記ボート７−ｉには、トレーラ１４上に搭載された長さ５ｍ以下の小型船舶が含まれる。前記顧客１は、自己の車両５でレンタルボート７−ｉを牽引し、予約の日時に借入れ又は返却することができる。
【００１６】
以上により、顧客１は、自己の所有するパソコン２上で出発地ＰＳ、目的地Ｐ−ｉ、ボート種目７−ｉを入力し、所望のボートを保有するレンタル店ＲＥ−ｉの内から最も借入れ易いレンタル店の紹介を受けて、目的地Ｐ−ｉまでの道中において借入れし、出発地ＰＳへの帰還時に返却することができる。レジャー途中で借入れ及び返却できるので便利である。出発地ＰＳは、同一市街とは限らない。隣りの街であったり、県外となることもある。
【００１７】
前記近隣検索は、例えば、出発地ＰＳから目的地Ｐ−ｉまでの適正経路１５及び距離を割出し、当該経路１５上、出発地ＰＳから該当レンタル店ＲＥ−ｉ（例えばＲＥ−１）へ寄り道することとなるまでの距離Ｌ１、寄り道の距離Ｌ２、残り距離Ｌ３を算出し、前記搭載又は牽引による車両負荷の増大乗率をα（０．１〜０．５）、より道増加の距離Ｌ２に対する負荷増大率をβ（１．５〜２．０）として、負荷の増大量の少ないものから順に所定数のレンタル店候補を算出表示することができる。
【００１８】
負荷の増大量Ｑは、往復距離２（Ｌ１＋Ｌ３）に対し、搭載又は牽引による増大量Ｑ１と、より道による増大量Ｑ２の和で次の数式１、２により割出すことができる。
【００１９】
【数１】
Ｑ１＝α・２・Ｌ３
【数２】
Ｑ２＝β・（２＋α）・Ｌ２
乗率αは、ゴムボートの場合には０．１、トレーラの場合には０．５等、車両負荷が大となるほど大きく設定する。余計なレンタルのための寄り道は、労が大であるので、乗率βは大、例えば１．５としてある。この限りにおいて、寄り道Ｌ２は小さいほど良く、出発地ＰＳに近い位置のレンタル店、例えばＲＥ−３が近隣検索されることもある。近隣検索では、複数、例えば３〜５個の候補を挙げ、顧客１の便宜を図る。
【００２０】
以上により、顧客１は、システムサーバ３を介して所望の場所で、所望のボートを、所望の時期に容易にレンタルでき、帰宅途中で返却でき、ボートの保管について多く意識することなくレジャーを楽しむことができる。
【００２１】
【発明の実施の形態】
以下、添付図面を参照して本発明の実施の形態を説明する。システム全体の概要図としては、図１を援用する。図２は、システムサーバの構成を示すブロック図、図３は地図データの具体例を示す説明図、図４は、顧客から見てのレンタル方法を示すフローチャート、図５及び図６は、顧客パソコンの画面構成の具体例を示す説明図である。
【００２２】
図１に示すように、本発明の陸上げボートレンタルシステムは、本部及びレンタル店の会員たる顧客１のパソコン２と、システムサーバ３と、該サーバ３と連絡された本部４及び該本部４の会員たる多数のレンタル店ＲＥ−ｉ（ｉ＝１、２、３・・・）とを有して成り、
前記レンタル店ＲＥ−ｉは、前記顧客１が乗用する車両５に搭載又は牽引して、目的地としての水辺６へ持参できるボート７−ｉ（ｉ＝１、２、３・・・）をレンタル可能に所持し、
前記システムサーバ３は、前記水辺６で、前記顧客１が持参したボート７−ｉを水上へ出すことができる位置Ｐ−ｉを印した地図データ８と、各レンタル店ＲＥ−ｉで貸出し可能のボート種目７−ｉを示す種目データ９と、各レンタル店ＲＥ−ｉのレンタル内容を示すレンタル店データ１０と、該データ１０に対応させて予約状況を更新可能な形で示す予約データ１１とを有し、
前記顧客１がパソコン２上で自己の出発地ＰＳ、目的地Ｐ−ｉ、レンタル種目７−ｉを指定することにより、前記サーバ３は、指定種目のボート７−ｉを所持するレンタル店ＲＥ−ｉの内、前記出発地ＰＳから見て最も借入れ易いレンタル店ＲＥ−ｉを近隣検索すると共に、当該パソコン２上で当該レンタル店ＲＥ−ｉに対して即時予約可能とする。
【００２３】
水辺６は、例えば河川１３Ａや海１２、湖１３Ｂ、等である。海１２の水辺には、最終的な目的地として設定される位置Ｐ−ｉが印される。ボートを水上に出すことができる位置Ｐ−ｉとしては、砂浜、トレーラ用のスロープ、荷上げ場、岸壁、桟橋、ハーバ、マリーナ等が挙げられる。
【００２４】
レンタル店ＲＥ−ｉは、予め本部４と契約し、本部会員として登録する。レンタル店ＲＥ−ｉは、例えば、人口１０万人の市街に１軒の割合いで定める。また、例えば、２４時間営業のガソリンスタンドで併営させる等、沖釣り等において早朝貸出しに便宜を図ること等も検討される。各レンタル店ＲＥ−ｉに配置するボート種目７−ｉは任意に定めることができるが、本部４及びレンタル店ＲＥ−ｉが募集する会員たる顧客１の便宜上、ボート種としては、ゴムボート、３〜５ｍの小型船舶等、複数種のボート７−ｉを揃えておくのが好ましい。
【００２５】
前記ボート７−ｉには、トレーラ１４上に搭載された長さ５ｍ以下の小型船舶が含まれる。前記顧客１は、自己の車両５でレンタルボート７−ｉを牽引し、予約の日時に借入れ又は返却することができる。
【００２６】
図２において、システムサーバ３は、顧客パソコン２とインターネットＮＥＴを介して接続されている。システムサーバ３は、通信部１６、検索処理部１７、予約処理部１８と、地図データ記憶部８Ｍ、種目データ記憶部９Ｍ、レンタル店データ記憶部１０Ｍ、予約データ記憶部１１Ｍとを備えている。検索処理部１７には、自動車の経路案内装置のような経路案内処理部１７Ａが付属される。
【００２７】
地図データ記憶部８Ｍは、図３に示すように、各地域の海辺等水辺状況を示す地図データ８を記憶している。この地図データ８は、全国版のマリンレジャー地図でもあり、一般的な経路案内装置に利用されているものと同様の地図に、ボート７−ｉを水上に降すことができる位置Ｐ−ｉと、レンタル店ＲＥ−ｉを印した地図データである。位置Ｐ−ｉとしては、マリーナＭＡ、砂場ＳＡ、荷上げ場ＷＨ、スロープＳＬ、ハーバＨＡ等が印される。レンタル店ＲＥ−ｉとしては、本部４の会員として、指定された者が例えば赤色識別されて地図上で示される。目的地Ｐ−ｉとしては、最終的には、これらの各位置を個別に指定することを基本とするが、図３でＰ−１、Ｐ−２として示すように、地図データを表示させるための初期の目的地として、一般地図上の水辺の地名とすることができる。種目データ記憶部９Ｍの記憶内容を表１に示す。
【００２８】
【表１】
2004152137.tif 000003
表１に示されるように、レンタル種目は、各レンタル店ＲＥ−ｉが貸出し可能なボート種目として各レンタル店ＲＥ−ｉが有するボートの最大公約数的なボート名が示される。一般には、本部４が指定の種目に限りレンタル可能となるが、各レンタル店ＲＥ−ｉで特別にレンタルしたい物件がある場合には、それを本部４に届け、種目データに加筆できる。本発明の陸上げボートレンタルシステムでは、顧客１の車両５に搭載又は牽引できることを条件とするので、これに適合できないボートは対象とならない。表１に示すように、本発明でレンタル可能なボート種目としては、トレーラ付小型船舶が主流である。表１中トレーラ（小）（中）とあるのは、トレーラ単体を示し、自己の所有する小さなボートやレジャー用品を搭載して牽引するのに利用される。これらレンタル種目の中には、夫々に所要の免許を必要とするものがある。本例の顧客１はレンタル店ＲＥ−ｉの会員として定めるので、これら免許を有する会員のみが利用可能とする。
【００２９】
レンタル店データ記憶部１０Ｍは、各レンタル店が個別に所有する物件内容を示すデータが記憶される。その具体的内容については、図５で示す。
【００３０】
予約データ記憶部１１Ｍは、表２に示すように、顧客１の会員Ｎｏに次いで、目的地、レンタル店名、ボート種目、予約日付を、レンタル店データ記憶部１０Ｍの記憶内容と対応させて記憶するものである。
【００３１】
【表２】
2004152137.tif 000004
検索処理部１７は、顧客パソコン２からの出発地、及び目的地の入力に基いて、目的地地域の地図データを検索し、詳細な目的地を指定させ、付属する経路案内処理部１７Ａによって、出発地ＰＳから目的地Ｐ−ｉについての経路１５を定め、近隣検索により最寄りのレンタル店ＲＥ−ｉを紹介する。既に借入れレンタル店を定めている顧客に対しては、レンタル店を直接指定させることもできる。
【００３２】
前記近隣検索の一例としては、出発地ＰＳから目的地Ｐ−ｉまでの適正経路１５及び距離を割出し、当該経路１５上、出発地ＰＳから該当レンタル店ＲＥ−ｉ（例えばＲＥ−１）へ寄り道することとなるまでの距離Ｌ１、寄り道の距離Ｌ２、残り距離Ｌ３を算出し、前記搭載又は牽引による車両負荷の増大乗率をα（０．１〜０．５）、より道増加の距離Ｌ２に対する負荷増大率をβ（１．５〜２．０）として、負荷の増大量の少ないものから順に所定数のレンタル店候補を算出表示することができる。
【００３３】
負荷の増大量Ｑは、往復距離２（Ｌ１＋Ｌ３）に対し、搭載又は牽引による増大量Ｑ１と、より道による増大量Ｑ２の和での数式１、２により割出すことができる。片道距離１００ｋｍの場合について搭載物件がゴムボートの場合の乗率α＝０．１、寄り道の乗率β＝１．５として表３に具体的計算例を示す。
【００３４】
【表３】
2004152137.tif 000005
乗率αは、ゴムボートの場合には０．１、トレーラの場合には０．５等、車両負荷が大となるほど大きく設定する。余計なレンタルのための寄り道は、労が大であるので、乗率βは大、例えば１．５としてある。具体的には、Ｌ１＝９０ｋｍ、Ｌ３＝１０ｋｍの道中において、寄り道Ｌ２＝３ｋｍのとき、ゴムボートの乗率α＝０．１であれば、Ｑ１＝２ｋｍ、Ｑ２＝９．４５ｋｍで、距離換算で合計、１１．４５ｋｍの負担となる。この限りにおいて、寄り道Ｌ２は小さいほど良く、出発地ＰＳに近い位置のレンタル店が近隣検索されることもある。近隣検索では、複数、例えば３〜５個の候補を挙げ、顧客１の便宜を図る。表１において、上位３位のレンタル店がレンタル候補として出力される。
【００３５】
以上により、顧客１は、システムサーバ３を介して所望の場所で、所望のボートを、所望の時期に容易にレンタルでき、帰宅途中で返却できる。
【００３６】
顧客１は、自己の有するパソコン２を用いて図４に示す手順にてレンタル予約することができる。まずステップ４０１、４０２で出発地（自己の住所）と、レジャー目標地とを入力すると、ステップ４０３で図５に示すように、該当地区の地図データ及び表１に示したようなレンタル種目の一覧が案内画面１９に表示される。ここでの目標位置は、レジャーを行う水辺付近の大まかな地域名で事足りる。
【００３７】
次に、ステップ４０４でレンタル種目を選択し、最終目的地、即ちボートを水辺に出す位置Ｐ−ｉを入力すると、ステップ４０５で近隣検索し、選択された種目のボートを有するレンタル店ＲＥ−ｉの内から、レンタル店の候補、ＲＥ−４、ＲＥ−５、ＲＥ−６を採択し、その位置のみが赤印で表示される。
【００３８】
そこで、顧客は、ステップ４０６、４０７を介して、図５の画面に表示されたレンタル店ＲＥ−４、５、６の内最もレンタルし易いと思えるものを選び、図６に示す予約画面に移行する。
【００３９】
図６に示す予約画面２０では、選択したレンタル店、例えばＲＥ−４が所有するボート種目の一覧が表示される。そこで、顧客１は、ステップ４０６でレンタル種目を具体的に定めることができる。選択した種目については、拡大図面又は写真が表示される。
【００４０】
ステップ４０６で、全ての選択が終了すると、予約手続きに入る。予約手続きは、予約状況がチャート上に表示されているので、ステップ４０８で空きの時間を見て、予約月／日、時刻を入力し、確認キーをオンすることにより予約できる。予約内容は、プリントできる。
【００４１】
以上により、顧客１は、自己の所有するパソコン２上で出発地ＰＳ、目的地Ｐ−ｉ、ボート種目７−ｉを入力し、所望のボートを保有するレンタル店ＲＥ−ｉの内から最も借入れ易いレンタル店の紹介を受けて、目的地Ｐ−ｉの道中である経路１５において借入れし、出発地ＰＳへの帰還時に返却することができる。レジャー途中で借入れ及び返却できるので便利である。出発地ＰＳは、同一市街とは限らない。隣りの街であったり、県外となることもある。
【００４２】
上記実施の形態において、レンタル店ＲＥ−ｉとしては、ガソリンスタンド併営の２４時間営業の店として示したが、図６の予約画面２０上でレンタル店の営業時間を示すこととすれば、昼間のみの営業時間でも良く、かつガソリンスタンドに限定する必要もない。ただし、本レンタルシステムでは、エンジン付のボートを多くレンタルするので、ガソリンスタンド併営とすると、相乗効果が生じ、顧客にとっても、大変都合が良い。
【００４３】
また、本発明では、レンタル店は、陸上げボートをレンタルするが、これに併せて陸上げボート以外の商品、例えば自転車やキャンプ用品等をレンタルするのも構わない。
【００４４】
さらに、上記実施の形態では、近隣検索として数式１、２を用いての最寄りのレンタル店を検索する例を示したが、近隣検索方法はこれに限定されず、極端には近隣検索無しで、全レンタル店を地図上に示し、地図上に色分け表示されたレンタル店を指定することで、レンタル店を選べるようにしても良い。会員たるレンタル店ＲＥ−ｉの店数が多きにすぎる場合には、近隣検索は必須となる。
【００４５】
近隣検索の他の例としては、最終目的地に近いものから順に表示する方法や、経路１５に近いもののみ表示する方法等がある。顧客の負担を最小とすることを目的とすれば、数式１、２によるのが最も合理的である。
【００４６】
本発明は、停泊地を有する小型船舶所有者、又はトレーラ付ボートを所有する者も利用することができる。これらの者であっても、停泊地以外の地で沖釣りしたり、旅行先で海釣りしたいような場合に利用できる。また、トレーラ付ボート所持者は、本発明のレンタル店の一員としても加入可能である。
【００４７】
本発明は、上記実施の形態に限定されるものではなく、本発明の要旨を逸脱しない範囲で自由に設計的変更することができ、適宜態様で実施し得る。
【００４８】
【発明の効果】
以上の通り、本発明は、特許請求の範囲に記載の通りの陸上げボートレンタルシステムであるので、会員たる顧客は、自己の車両を利用し、所望の場所で、所望のボートを所望の時期に容易にレンタルできる。レンタル店は、陸上げボートを対象とするので、保管が容易である。貸出しも、顧客が自己の車両に搭載又は牽引して運搬するので配達等の労が無く、その分レンタル料を低く設定できる。会員たる顧客は、全国配置されたレンタル店を自由に利用できるので、レジャー目的地に応じて最寄りの店でレンタルでき、使い勝手がすこぶる便利である。
【００４９】
本発明の近隣検索では、顧客の出発地及び目的地の入力に基いて、レンタルボートの搭載又は牽引により増加することとなる負荷量が最も少ないレンタル店を紹介することができるので、顧客は最も容易に借出し又は返却することができ、レジャーを思い通りに楽しむことができる。
【図面の簡単な説明】
【図１】本発明の陸上げボートレンタルシステムの概要を示すシステム構成図である。
【図２】本発明の一実施形態に係るシステムサーバの詳細を示すブロック図である。
【図３】本発明の一実施形態に係る地図データの具体例を示す説明図である。
【図４】本発明の一実施形態に係る陸上げボートレンタルシステムのレンタル方法を示すフローチャートである。
【図５】本発明の一実施形態に係る顧客パソコンに表示される案内画面の一構成例を示す説明図である。
【図６】本発明の一実施形態に係る顧客パソコンに表示される予約画面の構成例を示す説明図である。
【符号の説明】
１  顧客
２  顧客のパソコン
３  システムサーバ
４  本部
５  顧客が乗用する車両
６  水辺
７−ｉ（ｉ＝１、２、３・・・）  ボート
８  地図データ
８Ｍ  地図データ記憶部
９  種目データ
９Ｍ  種目データ記憶部
１０  レンタル店データ
１０Ｍ  レンタル店データ記憶部
１１  予約データ
１１Ｍ  予約データ記憶部
１２  海
１３Ａ  河川
１３Ｂ  湖
１４  トレーラ
１５  経路
１６  通信部
１７  検索処理部
１７Ａ  経路案内処理部
１８  予約処理部
１９  案内画面
２０  予約画面
ＲＥ−ｉ（ｉ＝１、２、３・・・）  レンタル店
Ｐ−ｉ  位置（目的地）
ＰＳ  出発地
ＭＡ  マリーナ
ＳＡ  砂場
ＷＨ  荷上げ場
ＳＬ  スロープ
ＨＡ  ハーバ
ＮＥＴ  インターネット
【図１】
2004152137.tif 000006
【図２】
2004152137.tif 000007
【図３】
2004152137.tif 000008
【図４】
2004152137.tif 000009
【図５】
2004152137.tif 000010
【図６】
2004152137.tif 000011